(57)【特許請求の範囲】
【請求項１】
上流側排水管接続部と、
下流側排水管接続部と、
前記２つの排水管接続部の間に設けられた本管部と、そして
管軸が前記本管部の管軸に対し直交する平面に対し平行に延びており、かつ、内部管底が前記本管部の内径に対し６０％以上の高さの位置において本管部へ開口及び接続されている通気管接続部と、を有する通気管接続用の管継手において、
前記本管部の通気管接続部の取付け開口周縁部には、前記通気管接続部を延長するように前記本管部の内壁面から内方へ向けて延びた壁であって、前記壁の先端部が、前記取付け開口の最底部のみにおいて前記本管部の内壁面と面一となるように切り欠かれている逆流防止壁が設けられていることを特徴とする前記通気管接続用の管継手。
【請求項２】
前記逆流防止壁は、さらに前記逆流防止壁の先端部が、前記取付け開口の最頂部のみにおいて前記本管部の内壁面と面一となるように切り欠かれていることを特徴とする請求項１に記載の通気管接続用の管継手。
【請求項３】
前記逆流防止壁は、前記取付け開口の頂部および底部を境界として前記本管部上流側および下流側の２つの壁に分割されていることを特徴とする請求項２に記載の通気管接続用の管継手。
【請求項４】
前記逆流防止壁は、根元端から先端部へ向けて該壁の肉厚が徐々に薄くなるように形成されていることを特徴とする請求項１ないし３のいずれかに記載の通気管接続用の管継手。
【請求項５】
前記通気管接続部の内径は、前記本管部の内径に対し４０％〜９０％の範囲内であることを特徴とする請求項１ないし４のいずれかに記載の通気管接続用の管継手。
【請求項６】
前記通気管接続部の内部管底は、前記本管部の内壁面から外方へ向けて水平に延びていることを特徴とする請求項１ないし５のいずれかに記載の通気管接続用の管継手。
【発明の詳細な説明】
【技術分野】
【０００１】
本発明は、戸建て住宅や多層階の集合住宅の屋内排水管に接続される通気管接続用の管継手に関し、特に、排水管を流れる排水が通気管へ逆流するのを防止することができ、かつ、床下などの狭小スペースの中で横引きされる排水管から分岐して通気管を接続しなければならない場合に極めて有効な省スペース型の逆流防止壁付き通気管接続用管継手に関する。
【背景技術】
【０００２】
戸建て住宅や多層階の集合住宅において屋内排水管を配管する場合、一般的には、空気を取り込むことにより排水の流れをスムーズにするための通気管が排水管の経路中に接続される。また、流し台、洗面台、トイレなどの排水設備の下流側には、通常、臭気等の流入を防止するための排水トラップが設けられているため、通気管は、排水トラップ内の封水が排水のサイフォン効果等より吸引されないように排水トラップの近くに接続されることが望ましい。
【０００３】
ところで、近年では、従来の固定観念にとらわれないデザインや機能性を重視した外観や室内レイアウトを有する戸建て住宅およびマンション等が増えてきている。また、都市部においては、土地の有効活用等を目的とした戸建て住宅の多層化や、マンション等の集合住宅の高層化が進んでいる。
【０００４】
このような背景の中、近年では排水設備・排水管においても、流し台、洗面台、トイレ等の自由なレイアウトを許容しながら、限られた空間を効率良く利用することが求められている。特に、多層化が進んだ集合住宅等においては、室内に配置された流し台等の排水設備と、上下階を結ぶために外壁近くに配管された排水管とを接続する必要があるため、横引きされた排水管を多用して狭小な床下スペースを有効利用することが求められている。このため、従来から、省スペース化を実現するためのコンパクトな配管構造やこれに使用されるコンパクトな管継手などが提案されている。
【０００５】
例えば、通気管を接続するためには、横引きされた排水管の途中に特開２００１−１６５３８０号公報および特開２００３−２４０１８１号公報に示されるような後付けタイプの分岐用管継手を取付けたり、若しくは特開２００５−１１３４１９号公報に示されるように、本管部に対して偏心させて分岐された小径の枝管部を備える分岐用管継手を利用する方法が挙げられる。しかしながら、いずれの管継手の場合も、本管部および枝管部を排水管として使用して管継手の中で合流させることを前提に設計されているため、枝管部を空気のみが流れる通気管として使用する場合は、枝管部の中へ本管部から逆流してくる排水の流入を十分に防止することができなかった。
【０００６】
また、特願２００７−１６３４５２号明細書の中では、通気管の内径が本管の内径に対して４０％を超えるものであっても、床下などの狭小スペースにおいて横引きされた排水管から通気管の分岐を可能とする、本管部と通気管接続部の継手構造が極めてコンパクトで、かつ、本管部から通気管接続部への排水の逆流を防止することができる通気管接続用の管継手が開示されている。
【０００７】
この通気管接続用の管継手によれば、例えば、通気管接続部の内部管底は本管部の内径に対し６０％以上の高さの位置から分岐されているため、通気管接続部下半分の内壁面と本管部の内壁面とは、通気管接続部の管軸に対し平行な垂直断面で切り取った時、少なくとも９０°未満の鋭角を形成するように接続される。
【０００８】
換言すれば、本管部と連通する通気管接続部の根元端は、その直下に鉛直方向より本管部の中心方向へ傾斜した本管部内壁面が形成されるため、本管部を流れる排水が何らかの要因で通気管接続部の根元端直下に形成された本管部内壁面に衝突し、又は該内壁面に沿って振幅運動をしたりするような挙動が生じた場合であっても、本管部を流れる排水は本管部の中心方向へ、すなわち通気管接続部の取付け開口から遠ざかる方向へ案内若しくは跳ね返され、これにより、排水が通気管接続部内へ逆流するのが防止されていた。
【０００９】
しかしながら、実際に排水管の中を流れる排水の挙動は極めて複雑であり、不規則な排水の跳ねや暴れなどが生じた場合は、通気管としての通気機能を維持しながら、本管部から通気管接続部へ逆流してくる排水の流れを十分に阻止することができない場合があった。また、通気管接続部では、一度付着したゴミや異物を洗い流すことができないため、逆流した排水の中に含まれる異物等の堆積により配管詰まりを生ずるおそれもあった。
【特許文献１】特開２００１−１６５３８０号公報
【特許文献２】特開２００３−２４０１８１号公報
【特許文献３】特開２００５−１１３４１９号公報
【特許文献４】特願２００７−１６３４５２号明細書
【発明の開示】
【発明が解決しようとする課題】
【００１０】
そこで、本発明は上記の問題点に鑑み、通気管としての通気機能を維持しながら、本管部から通気管接続部へ逆流してくる排水の流れを十分に阻止することができ、かつ、それでいて床下などの狭小スペースにおいて横引きされた排水管から通気管の分岐を可能とする、本管部と通気管接続部の継手構造が極めてコンパクトな通気管接続用の管継手を提供することを目的とする。
【課題を解決するための手段】
【００１１】
本発明者等は、横引きされる排水管から通気管を分岐するための省スペース型の通気管接続用の管継手において、本管部から通気管接続部への逆流を防止するために有効な構造について鋭意検討を重ねた結果、本管部の通気管接続部取付け開口の上流側、または上流側及び下流側に、先端部が底部、または頂部及び底部において本管部の内壁面と一致する本管部の内壁面から内方へ向けて延びた逆流防止壁を設けることが最も効果的であることを見出し、本発明の完成させるに至った。
【００１２】
本発明によれば、上流側排水管接続部と、下流側排水管接続部と、前記２つの排水管接続部の間に設けられた本管部と、そして管軸が本管部の管軸に対し直交する平面に対し平行に延びており、かつ、内部管底が本管部の内径に対し６０％以上の高さの位置において本管部へ開口及び接続されている通気管接続部とを有する通気管接続用の管継手において、本管部の通気管接続部の取付け開口周縁部には、通気管接続部を延長するように本管部の内壁面から内方へ向けて延びた壁であって、前記壁の先端部が、少なくとも取付け開口の底部において本管部の内壁面と面一となるように形成された逆流防止壁が設けられていることを特徴とする通気管接続用の管継手が提供される。
【００１３】
すなわち、本発明は、特願２００７−１６３４５２号明細書の中に記載されているような、排水が流れる本管部に空気のみが流れる通気管を接続するために使用される通気管接続用の管継手の排水逆流防止機能をより一層強化した管継手に係る改良発明である。したがって、本発明では、特願２００７−１６３４５２号明細書に記載されている通気管接続用の管継手の基本構造を本発明の基本構造の一例としてここに採り入れ参照する。
【００１４】
また、後述される排水逆流防止機構は、特願２００７−１６３４５２号明細書の中に記載されている通気管接続用の管継手への適用に限られるものではなく、一定の条件を満たせば、例えば特開２００１−１６５３８０号公報や特開２００５−１１３４１９号公報に記載されているような、本来、本管部及び枝管部のいずれの配管にも排水を流すことを前提として設計された管継手にも適用することができる。
【００１５】
本発明において、本管部内壁面に設けられる逆流防止壁は、以下のような主に３つの特徴を有する。
【００１６】
その一つは、本発明で使用される逆流防止壁は、通気管接続部を延長するように本管部の通気管接続部取付け開口周縁部から内方へ向けて立ち上げられていることである。
【００１７】
すなわち、逆流防止壁は、少なくとも通気管接続部の内径を保持するように本管部内方へ向けて延びており、このため、逆流防止壁は、跳ね上がり等により本管部から通気管接続部内へ流入しようとする排水の流れを効果的に阻止する邪魔板機能を発揮し、排水の通気管接続部への逆流を確実に防止することができる。また、逆流防止壁の存在により本管内部の通気管接続部取付け開口が狭められることがないため、本管を流れる排水量などによらずいつでもスムーズな通気を確保することも可能となる。
【００１８】
他の一つは、本発明で使用される逆流防止壁の先端部は、少なくとも本管内部の通気管接続部取付け開口の底部において本管部の内壁面と面一となるように形成されていることである。換言すれば、少なくとも通気管接続部取付け開口の底部には本管部内壁面から立ち上げられた逆流防止壁が設けられておらず、逆流防止壁の先端部が内壁面と面一に一致するように実質上壁が切り欠かれた形状を有していることである。
【００１９】
このため、本管内部の通気管接続部取付け開口には、逆流防止壁により、跳ねた排水や異物等が乗り上げて堆積するような棚板が形成されず、通気管接続部の詰まりを確実に防止することができる。また、開口部の確保・拡大により、スムーズな通気を確保することも可能となる。
【００２０】
また、本発明で使用される逆流防止壁の先端部は、さらに本管内部の通気管接続部取付け開口の頂部において、本管部の内壁面と面一となるように形成させてもよい。換言すれば、通気管接続部取付け開口の頂部は、底部と同様に本管部内壁面から立ち上げられた逆流防止壁を設けず、逆流防止壁の先端部が内壁面と面一に一致するように実質上壁が切り欠かれた形状とすることができる。
【００２１】
これにより、不測の事態が発生した場合においても、本管部を流れる排水の流れを邪魔する逆流防止壁の形成は最小範囲に抑えられ、本管部を流れる排水のスムーズな流れが確保される。また、開口部の確保・拡大により、スムーズな通気を確保することができる。
【００２２】
また、本発明の特徴の他の一つは、本発明で使用される逆流防止壁は、本管内部の通気管接続部取付け開口の頂部および底部を境界として前記取付け開口の少なくとも上流側に１箇所形成されていればよく、前記取付け開口の上流側及び下流側の２箇所に形成されていればより好ましいことである。逆流防止壁は、通気管接続部取付け開口の上流側に１箇所形成されていればその邪魔板機能により十分に排水の逆流を防止することができるが、逆流防止壁が前記取付け開口の上流側及び下流側の２箇所に形成されている場合は、通気管接続用の管継手本管部の上流側及び下流側を区別することなくいずれの側にも上流側又は下流側の排水管を接続することが可能となり、管継手の取扱いの利便性を向上させることができる。
【００２３】
また、逆流防止壁は、その強度面、加工面及びコスト面から、根元端から先端部へ向けて該壁の肉厚が徐々に薄くなるように形成されていることが好ましい。
【００２４】
上述された逆流防止壁が設けられた本発明による通気管接続用の管継手は、上流側排水管接続部と下流側排水管接続部を両端に備えた本管部と、この本管部から直交するように外方へ分岐した通気管を接続するための通気管接続部とから構成される。
【００２５】
管継手の通気管接続部は、本管部の管軸に対し直交する平面において、該平面に対し平行に延びるように本管部から分岐される。すなわち、通気管接続部は本管部と直交するように分岐される。これは、排水管内において排水の流れによって生じる圧力変動に伴い、排水管の中で通気しなければならない区域が排水管の上流側及び下流側のいずれの側でも発生し得るため、通気管接続部を本管部の管軸に対して中立の角度である直交する位置に配置するのがスムーズな空気流れを確保するために最も有利だからである。
【００２６】
さらに、管継手の通気管接続部は、その内部管底が本管部の内径に対し６０％以上の高さの位置において、本管部の内壁面から外方へ向けて分岐される。これは、通気管接続部の内部管底を本管部の内径に対して６０％より低い位置から分岐した場合、本管部を流れる排水の逆流を防止するためには不十分だからである。
【００２７】
また、通気管接続部の内部管底を本管部の内径に対し６０％以上の高さの位置から分岐すると、通気管接続部下半分の内壁面と本管部の内壁面とは、通気管接続部の管軸に対し平行な垂直断面で切り取った時、少なくとも９０°未満の鋭角を形成するように接続される。このため、本管部を流れる排水が何らかの要因で通気管接続部取付け開口の直下に形成される本管部内壁面に衝突したり、該内壁面に沿って振幅運動をしたりするような場合においても、本管部を流れる排水は本管部の中心方向へ、すなわち、通気管接続部の取付け開口から遠ざかる方向へ案内若しくは跳ね返され、これにより、排水が通気管接続部内へ逆流するのが防止される。
【００２８】
また、通気管接続部の内部管底は勾配を設けることなく、直接、本管部の内壁面から外方へ向けて水平に延ばすことができ、この場合、本発明による管継手は通気管接続部の内部管底高さを基準に通気管接続部の外部突出高さが最も抑制された、換言すれば、高さ方向に最も省スペース化された外部形状を形成することができる。
【００２９】
さらに、本発明の管継手において、通気管接続部の内径は本管部の内径に対し４０％〜９０％の範囲内の大きさに選択されることが好ましい。
【００３０】
ここで、通気管接続部の内径に下限値を設ける理由は、通常、１つの排水管に対しその約半分の内径を有する通気管を接続しておけば、排水トラップ内の封水の吸引による破壊を防止することができるからである。また、上限値を設ける理由は、多数の排水設備および排水管が複雑に接続された排水系統では、排水による管内の大きな圧力変動に対処するために、排水管に対し大径の通気管を接続しておかなければならない場合があるが、実質的には、排水管の内径と同じか、又は排水管の内径より大きな内径を有する通気管を接続する意義は殆どないものと考えられるからである。
【００３１】
なお、本発明において、管継手の通気管接続部の内径が本管部の内径に対して５０％〜１００％の範囲内ではなく４０％〜９０％の範囲内としているのは、例えば、実際に使用される塩化ビニル管は、各呼び径に対する外径や肉厚などの規格化された寸法に基づいて製造されているため、５０％近傍、および１００％近傍の比率で実際に組み合わせることができる通気管と排水管の内径およびその内径比率を考慮したからである。
【００３２】
また、本発明の管継手では、直接的に通気管接続部へ、または間接的に通気管接続部へ接続された通気管等を介して逆流防止機能付き通気弁を接続してもよい（図示せず）。この場合、排水管の長年の使用により詰まりなどの異常事態が発生しても、排水管に接続される通気管を通して排水が外部へ漏出するのが確実に防止される。
【発明の効果】
【００３３】
本発明によれば、通気管としての通気機能を維持しながら、本管部から通気管接続部へ逆流してくる排水の流れを十分に阻止することができ、かつ、それでいて床下などの狭小スペースにおいて横引きされた排水管から通気管の分岐を可能とする、本管部と枝管部の継手構造が極めてコンパクトな逆流防止壁付きの通気管接続用管継手を提供することができ、この結果、排水管に接続される排水設備等のレイアウトの自由度も大幅に拡大される。
【００３４】
また、本発明によれば、排水管に詰まりなどの異常事態が発生した場合においても、逆流してくる排水の漏水を確実に防止することができる逆流防止機能付き通気弁が取り付けられた、全体としても極めてコンパクトな逆流防止壁付きの通気管接続用管継手を提供することができる。この結果、排水管から分岐された通気管を外壁近くへ又は屋外まで延長したり、または通気管の末端部を外壁等に沿わせて立ち上げる必要性がなくなり、排水配管構造を床下スペースに合わせて簡素化することができる。
【発明を実施するための最良の形態】
【００３５】
以下、本発明の一実施形態に係る逆流防止壁付きの通気管接続用管継手について、図面を参照しながら詳細に説明する。なお、本発明は、以下に示される実施例に限定されるものではなく、本発明の技術的思想を逸脱しない範囲内で各種の変更が可能である。
【実施例１】
【００３６】
図１〜３には、排水管の呼び径が７５であり、これから分岐される通気管の呼び径が４０である塩化ビニル管の接続に用いられる本発明の一実施形態に係る塩化ビニル製の逆流防止壁付きの通気管接続用管継手１が示されている。本発明の管継手１に接続される排水管および通気管の組み合わせは、実施例１の組み合わせに限られるものではなく、好ましくは、管継手１の通気管接続部の内径が排水管と接続される本管部の内径に対し４０％〜９０％の範囲内の大きさとなるように選択される。実施例１の場合、通気管接続部の内径は本管部の内径の約５３％の大きさである。なお、図１は管継手１の平面図であり、図２は管継手１の側面図であり、そして、図３は管継手１を通気管接続口側から見た正面図である。
【００３７】
実施例１の管継手１は、排水管と接続される本管部２と、これから直交するように分岐された通気管接続部３とから構成される。また、本管部２は、その両端に上流側排水管を接続するための受口２０と下流側排水管を接続するための受口２１を含み、通気管接続部３は、通気管を接続するための受口３０を含む。これらの受口２０，２１，３０は差口とすることも可能であるが、ＶＰ管およびＶＵ管等の塩化ビニル管は、共通する外径基準に基づいて各呼び径が割り当てられているため、管継手の端部を受口形状とする方が接続可能な塩化ビニル管の種類が拡大され有利である。また、図２において、本管部２の内壁面２２から内方へ向けて半月板状に突出している壁が、本管部２の通気管接続部取付け開口周縁部２５に設けられた逆流防止壁４である。
【００３８】
図４は、本管部２の通気管接続部取付け開口周縁部２５に設けられた逆流防止壁４の理解が容易となるように、図２に示される管継手１を通気管接続部２の管軸ｂに沿って水平断面で切り取った場合の斜視図である。また、図５〜８は、図１〜３に示される管継手１の断面図である。図５は、図１に示される管継手１を通気管接続部２の管軸ｂに沿ってＸ−Ｘ断面で切り取った垂直断面図であり、図６，７及び８は、図５（ａ）に示される管継手１を本管部２の管軸ａを中心にしてその廻りにＡ−Ａ断面，Ｂ−Ｂ断面及びＣ−Ｃ断面で切り取った断面図である。
【００３９】
図４〜８から理解されるように、実施例１の管継手１の逆流防止壁４は、通気管接続部３を延長するように本管部内壁面２２の通気管接続部取付け開口２３の周縁部２５から内方へ向けて立ち上げられる。
【００４０】
すなわち、逆流防止壁４は、少なくとも通気管接続部３の内径ｄ３を保持するように本管部２の内方へ向けて延ばされており（図４，７参照）、このため、逆流防止壁４は、跳ね上がり等により本管部２から通気管接続部３へ流入しようとする排水の流れを効果的に阻止する邪魔板機能を発揮し、排水の通気管接続部３への逆流を確実に防止することができる。また、逆流防止壁４の存在により本管内部の通気管接続部取付け開口２３が狭められることがないため（図６，８参照）、本管２を流れる排水量などによらずいつでもスムーズな通気を確保することも可能となる。
【００４１】
図４，５に示されるように、逆流防止壁４の先端部４０は、少なくとも本管内部の通気管接続部取付け開口２３の底部２７において本管部２の内壁面２２と面一となるように形成される。換言すれば、少なくとも通気管接続部取付け開口２３の底部２７には本管部２の内壁面２２から立ち上げられた逆流防止壁４が設けられておらず、逆流防止壁４の先端部４０が内壁面２２と面一に一致するように実質上壁４が切り欠かれた形状を有している（図４参照）。
【００４２】
このため、本管内部の通気管接続部取付け開口２３には、逆流防止壁４により、跳ねた排水や異物等が乗り上げて堆積するような棚板が形成されず、通気管接続部３の詰まりを確実に防止することができる。また、開口部２３の確保・拡大により、スムーズな通気を確保することも可能となる。
【００４３】
また、図６〜８に示されるように、実施例１の管継手１の逆流防止壁４の先端部４０は、本管内部の通気管接続部取付け開口２３の頂部２７においても本管部２の内壁面２２と面一となるように形成される。換言すれば、通気管接続部取付け開口２３の頂部２７には、底部２６と同様に本管部２の内壁面２２から立ち上げられた逆流防止壁４が設けられず、逆流防止壁４の先端部４０が内壁面２２と面一に一致するように実質上壁４が切り欠かれた形状を有している。
【００４４】
これにより、不測の事態が発生した場合においても、本管部２を流れる排水の流れを邪魔する逆流防止壁４の形成は最小範囲に抑えられ、本管部２を流れる排水のスムーズな流れが確保される。また、開口部２３の確保・拡大により、スムーズな通気を確保することができる。
【００４５】
逆流防止壁４は、本管内部の通気管接続部取付け開口２３の頂部２６および底部２７を境界として取付け開口２３の少なくとも上流側に１箇所形成されていればよいが、本実施例１の管継手１の場合、図４および図６〜８に示されるように取付け開口２３の上流側２８及び下流側２９の２箇所に形成されている。
【００４６】
逆流防止壁４は、通気管接続部取付け開口２３の上流側に１箇所形成されていればその邪魔板機能により十分に排水の逆流を防止することができるが、本実施例１の管継手１のように、逆流防止壁４が取付け開口２３の上流側２８及び下流側２９の２箇所に形成されている場合は、本発明による通気管接続用の管継手１の本管部２の上流側２８及び下流側２９を区別することなくいずれの側２８，２９にも上流側又は下流側の排水管を接続することが可能となり、管継手１の取扱いの利便性を向上される。
【００４７】
また、図４，７に示されるように、実施例１の管継手１の逆流防止壁４は、その強度面、加工面及びコスト面から、根元端４１から先端部４０へ向けて壁４の肉厚が徐々に薄くなるように形成される。
【００４８】
次に、本発明による実施例１の通気管接続用の管継手１の全体的な構造の特徴を図面を参照して説明する。
【００４９】
上述された逆流防止壁４が設けられた実施例１の通気管接続用の管継手１は、上流側排水管接続部（受口）２０と下流側排水管接続部（受口）２１を両端に備えた本管部２と、この本管部２から直交するように外方へ水平に延びた通気管を接続するための通気管接続部（受口）３とから構成される。
【００５０】
図５（ｂ）を参照して理解されるように、実施例１の管継手１は、枝管部３の管軸ｂを含み本管部２の管軸ａに対し直交する平面（図示せず）に対し鏡面対称の形状を有する。また、管継手１の通気管接続部３は、該平面に対し平行に延びるように本管部２から分岐される。すなわち、通気管接続部３は本管部２と直交するように分岐される。
【００５１】
実施例１において管継手１の形状を鏡面対称（図１，３，４，６，７参照）としているのは、本管部２の上流側および下流側の排水管接続部（受口）２０，２１を共通の形状とすることにより、先述された２つの逆流防止壁４の配置効果と相俟って管継手１の汎用性を広げ、そして製作及び施工を容易にするためである。ただし、本発明による管継手は必ずしも鏡面対称の形状である必要はなく、例えば、上流側と下流側との間で本管部の長さや接続部の形状等が相違していてもよい。
【００５２】
また、管継手１の通気管接続部３が本管部２と直交するように分岐されるのは、排水管の中で通気しなければならない区域は、排水管の上流側及び下流側のいずれの側でも発生し得るため、通気管接続部３を本管部２の管軸ａに対して中立の角度である直交する位置に配置するのが円滑な空気の流れを確保するために最も有利だからである。
【００５３】
また、図５（ｂ）に示されるように、通気管接続部３の内部管底３１は、本管部２の内径ｄ２に対し６０％以上の高さｈにおいて、本管部２の内壁面２２から外方へ向けて水平に延びるように分岐される。すなわち、継手管１の通気管接続部３と本管部２とは直交するように分岐されるが、通気管接続部３の管軸ｂと本管部２の管軸ａとは互いに接する（交差する）ことがないように偏心させて配置されている。また、実施例１の管継手１において通気管接続部３の内部管底３１は、本管部２の内壁面２２から勾配を設けることなく外方へ向けて水平に延ばされる。
【００５４】
実施例１の管継手１のように、通気管接続部３の内部管底３１を本管部２の内径ｄ２の半分の高さを超えて、内径ｄ２の６０％の高さから分岐させると、通気管接続部３の管軸ｂに対し平行な平面で切り取った時、通気管接続部下半分の内壁面３２とこれと折り返すように連続する本管部２の内壁面２２とは、少なくとも９０°未満の鋭角αを形成するように接続される。換言すれば、通気管接続部３の取付け開口２３の直下には、鉛直方向より本管部２の中心方向へ傾斜した本管部の内壁面２２が形成される（図５（ｂ）参照）。
【００５５】
このため、本発明によれば、本管部２を流れる排水が何らかの要因で通気管接続部２の取付け開口２３の直下に形成される本管部内壁面２２に衝突したり、該内壁面２２に沿って振幅運動をしたりするような場合においても、本管部２を流れる排水は本管部２の中心方向へ、すなわち、通気管接続部２の取付け開口２３から遠ざかる方向へ案内若しくは跳ね返され、これにより、排水が枝管部３内へ逆流するのが防止される。
【００５６】
また、通気管接続部３の内部管底３１は勾配を設けることなく、直接、本管部２の内壁面２２から外方へ向けて水平に延ばされているため、実施例１の管継手１は、通気管接続部３の内部管底３１高さを基準に通気管接続部３の外部突出高さが最も抑制された、換言すれば、高さ方向に最も省スペース化された外部形状を形成することができる。
【００５７】
図５（ｂ）を参照して理解されるように、管継手１の通気管接続部３の内部管頂３４は、本管部２の管軸ａを通る垂直断面を横断しないように本管部２の内壁面２２へ接続され、かつ、少なくとも本管部２の内部管頂２４より上位の高さに配置される。このように、通気管接続部３の内部管頂３４を本管部２の内部管頂２４で収束させるような接続は、通気管接続部３の内径ｄ３が本管部２の内径ｄ２に対し４０％〜９０％の範囲内の大きさにあり、かつ、通気管接続部３の内部管底３１が本管部２の内径ｄ２に対し６０％以上の高さから分岐された管継手１における無駄なスペースの形成を極力抑制する。
【実施例２】
【００５８】
図９には、本発明による他の実施形態に係る塩化ビニル製の逆流防止壁付きの通気管接続用管継手１’であって、通気管接続部２の管軸ｂに沿って切り取った垂直断面図が示されている。
【００５９】
図９に示される実施例２の逆流防止壁付きの通気管接続用管継手１’は、本管部２から直交するように外方へ延びた通気管接続部３が、本管部２から水平に対して傾斜角を持って配置されていること以外、実施例１の管継手１と略同じ構造を有する。
すなわち、実施例２の管継手１’は、上流側排水管接続部と下流側排水管接続部（いずれも図示せず）を両端に備えた本管部２と、内部管底が本管部の内径に対し６０％以上の高さの位置において、本管部２から直交するように外方へ斜めに延びた通気管を接続するための通気管接続部３とから構成される。
【００６０】
このため、実施例２の管継手１’においては、実施例１の管継手１と同様に、通気管接続部３を延長するように本管部内壁面２２の通気管接続部取付け開口２３の周縁部２５から内方へ向けて立ち上げられた逆流防止壁４が設けられる。
【００６１】
すなわち、実施例２の管継手１’においても、逆流防止壁４は少なくとも通気管接続部３の内径を保持するように本管部２の内方へ向けて延ばされており、このため、逆流防止壁４は、跳ね上がり等により本管部２から通気管接続部３へ流入しようとする排水の流れを効果的に阻止する邪魔板機能を発揮し、排水の通気管接続部３への逆流を確実に防止することができる。また、逆流防止壁４により本管内部の通気管接続部取付け開口２３が狭められることがないため、本管を流れる排水量などによらずいつでもスムーズな通気を確保することも可能となる。
【図面の簡単な説明】
【００６２】
【図１】本発明による実施例１の逆流防止壁付き通気管接続用管継手を上から見た平面図である。
【図２】本発明による実施例１の逆流防止壁付き通気管接続用管継手を排水管接続口から見た側面図である。
【図３】本発明による実施例１の逆流防止壁付き通気管接続用管継手を通気管接続口から見た正面図である。
【図４】図２に示される管継手を通気管接続部の管軸に沿って水平断面で切り取った場合の斜視図である。
【図５−ａ】図１に示される管継手を通気管接続部の管軸に沿ってＸ−Ｘ断面で切り取った垂直断面図である。
【図５−ｂ】図１に示される管継手を通気管接続部の管軸に沿ってＸ−Ｘ断面で切り取った垂直断面図である。
【図６】図５（ａ）に示される管継手をＡ−Ａ断面で切り取った断面図である。
【図７】図５（ａ）に示される管継手をＢ−Ｂ断面で切り取った断面図である。
【図８】図５（ａ）に示される管継手をＣ−Ｃ断面で切り取った断面図である。
【図９】本発明による実施例２の逆流防止壁付き通気管接続用管継手を通気管接続部の管軸に沿って切り取った垂直断面図である。
【符号の説明】
【００６３】
１            逆流防止壁付き通気管接続用管継手
２            本管部
３            通気管接続部
４            逆流防止壁
２０、２１    排水管接続部（受口）
２２          本管部内壁面
２３          通気管接続部取付け開口
２４          本管部内部管頂
２５          通気管接続部取付け開口周縁部
２６          通気管接続部取付け開口底部
２７          通気管接続部取付け開口頂部
２８          通気管接続部取付け開口上流側
２９          通気管接続部取付け開口下流側
３０          通気管接続部（受口）
３１          通気管接続部内部管底
３２          通気管接続部下部内壁面
３３          通気管接続部接続端
３４          通気管接続部内部管頂
４０          逆流防止壁先端部
４１          逆流防止壁根元端
【図１】
0005134903.tif 000002
【図２】
0005134903.tif 000003
【図３】
0005134903.tif 000004
【図４】
0005134903.tif 000005
【図５−ａ】
0005134903.tif 000006
【図５−ｂ】
0005134903.tif 000007
【図６】
0005134903.tif 000008
【図７】
0005134903.tif 000009
【図８】
0005134903.tif 000010
【図９】
0005134903.tif 000011